(57)【特許請求の範囲】
【請求項１】
背片と、背片の一端から略直角に延設された底片と、底片の背片と反対側に位置する一端から略直角に延設され、背片に対向配置された前片とから形成された、外壁材の下端部に被嵌される端部カバー材において、前片は、底片と反対側に位置する一端に接続された背片側に向かって突出する前耳を有し、前耳は、前片への接続端と自由端とを有するとともに、接続端と自由端との間に、接続端および自由端より背片側に突出する押さえ部を有し、背片には、前耳に対向する位置に前片側に向かって突出するリブが配設され、前耳の押さえ部と背片のリブとの間に外壁材下端部を挟持可能としており、底片に水抜き孔が一定間隔で形成され、水抜き孔の孔縁に、先端に開口を有し、排水間隙を形成しつつ水抜き孔を覆う排水ルーバーが配設され、排水ルーバーには、端部カバー材の内側に突出する内側排水ルーバーと、端部カバー材の外側に突出する外側排水ルーバーとの２種類があり、内側排水ルーバーの開口は前片に対向配置され、外側排水ルーバーの開口は背片側に向かって開口していることを特徴とする端部カバー材。
【請求項２】
請求項１に記載された端部カバー材を外壁材の下端部に被嵌させて外壁材の端部を仕舞う外壁材の端部仕舞い構造であって、土台部において、土台に取り付けられた基礎水切り材の固定片に胴縁が配設され、胴縁の下端部前面に背片を当接させて端部カバー材が取り付けられ、外壁材の下端部が前片と背片との間に差し込まれ、外壁材の下端部に端部カバー材が被嵌され、端部カバー材が、前耳の押さえ部と背片のリブとの間に外壁材の下端部を挟持し、外壁材は、下端面が内側排水ルーバーの上端に当接し、内側排水ルーバーによって支持されて端部カバー材の底片から浮いた状態に保持され、水抜き孔からの排水が可能とされていることを特徴とする外壁材の端部仕舞い構造。
【請求項３】
請求項１に記載された端部カバー材を外壁材の下端部に被嵌させて外壁材の端部を仕舞う外壁材の端部仕舞い構造であって、上下に隣接して配置される上側外壁材と下側外壁材とを連結する中間連結部において、壁下地に胴縁を介して取り付けられた中間水切り材に配設された前側に突出する段部上に底片が載せられ、段部に支持されて端部カバー材が胴縁に取り付けられ、上側外壁材の下端部が前片と背片との間に差し込まれ、上側外壁材の下端部に端部カバー材が被嵌され、端部カバー材が、前耳の押さえ部と背片のリブとの間に上側外壁材の下端部を挟持し、上側外壁材は、下端面が内側排水ルーバーの上端に当接し、内側排水ルーバーによって支持されて端部カバー材の底片から浮いた状態に保持され、水抜き孔からの排水が可能とされていることを特徴とする外壁材の端部仕舞い構造。
【発明の詳細な説明】
【技術分野】
【０００１】
本発明は、建物の外壁面を外壁材によって形成する際に、外壁材下端部を外観良く仕舞う端部カバー材と、端部カバー材を用い、外壁材下端部を外観良く仕舞う外壁材の端部仕舞い構造に関する。
【背景技術】
【０００２】
建物の外壁面は、一般にサイディングと呼ばれるセメント系、金属系などの外壁材を壁下地の土台側から軒側に向かって順に取り付ける横張り施工などによって形成される場合がある。この場合、土台部および上下に隣接して配置される外壁材同士を連結する中間連結部では、風雨などにともなう雨水などの浸入を阻止し、壁体の耐久性を保持するために水切り材が設けられるが、水切り材は水切り機能の実現のために下方に延びるものであり、外壁材の下端部は露出する。外壁材の下端部の露出は外壁の見栄えに影響を及ぼすことから、外壁材の下端部に端部カバー材を被嵌し、外壁材下端部を外観良く仕舞うことが考えられている。
【０００３】
本出願人も外壁材下端部を端部カバー材によって仕舞う外壁材の端部仕舞い構造を提案している（特許文献１）。
【０００４】
上記外壁材の端部仕舞い構造には、底片、前片および背片を有し、断面略Ｕ字状に形成された端部カバー材が用いられ、外壁材下端部に被嵌させ、端部カバー材によって外壁材下端部を外観良く仕舞っている。
【特許文献１】特開２００１−１５２６５５号公報
【発明の開示】
【発明が解決しようとする課題】
【０００５】
しかしながら、その後の検討により、上記端部カバー材にはいくつかの改善すべき問題が見出された。
【０００６】
上記端部カバー材では、前片の上端に背片に向かって斜め下方に延びる返しが設けられ、この返しと背片との間で外壁材下端部を挟持し、端部カバー材を外壁材下端部に嵌合させているが、その嵌合強度は十分とはいえず、返しと背片との間に下端部を差し込んだ外壁材を壁下地に取り付ける際に、外壁材が前傾することがあり、外壁材を鉛直方向に揃えて施工するのが難しいという問題がある。
【０００７】
端部カバー材内に浸入するおそれのある雨水などを端部カバー材から排水し、外壁材の性能低下を抑制するために、底片に水抜き孔を形成し、水抜き孔が塞がれることのないように水抜き孔を底片の切り起こしによって形成し、その結果として配設される切り起こし片の先端を外壁材の下端面に当接させ、外壁材を底片から浮かせた状態に支持する場合には、端部カバー材が外壁材下端部に嵌合する縦幅であるのみ込み代がより小さくなり、上記問題が一層顕在化する。
【０００８】
また、上記端部カバー材では、返しの先端が外壁材表面部に食い込みやすく、塗膜などの外壁材表面が傷つき、外壁材の品質および性能の低下を招くという問題もある。
【０００９】
本発明は、以上の通りの事情に鑑みてなされたものであり、嵌合強度が十分高く、前傾を効果的に抑えて外壁材の施工を容易とし、かつ外壁材の品質および性能を安定に保持することのできる端部カバー材と、この端部カバー材を外壁材下端部に被嵌させて外壁材下端部を外観良く仕舞う外壁材の端部仕舞い構造とを提供することを課題としている。
【課題を解決するための手段】
【００１０】
本発明は、上記の課題を解決するために、以下の特徴を有している。
【００１１】
すなわち、端部カバー材に関し、第１の発明は、背片と、背片の一端から略直角に延設された底片と、底片の背片と反対側に位置する一端から略直角に延設され、背片に対向配置された前片とから形成された、外壁材の下端部に被嵌される端部カバー材において、前片は、底片と反対側に位置する一端に接続された背片側に向かって突出する前耳を有し、前耳は、前片への接続端と自由端とを有するとともに、接続端と自由端との間に、接続端および自由端より背片側に突出する押さえ部を有し、背片には、前耳に対向する位置に前片側に向かって突出するリブが配設され、前耳の押さえ部と背片のリブとの間に外壁材下端部を挟持可能としており、底片に水抜き孔が一定間隔で形成され、水抜き孔の孔縁に、先端に開口を有し、排水間隙を形成しつつ水抜き孔を覆う排水ルーバーが配設され、排水ルーバーには、端部カバー材の内側に突出する内側排水ルーバーと、端部カバー材の外側に突出する外側排水ルーバーとの２種類があり、内側排水ルーバーの開口は前片に対向配置され、外側排水ルーバーの開口は背片側に向かって開口していることを特徴としている。
【００１３】
外壁材の端部仕舞い構造に関し、第２の発明は、第１の発明の特徴を有する端部カバー材を外壁材の下端部に被嵌させて外壁材の端部を仕舞う外壁材の端部仕舞い構造であって、土台部において、土台に取り付けられた基礎水切り材の固定片に胴縁が配設され、胴縁の下端部前面に背片を当接させて端部カバー材が取り付けられ、外壁材の下端部が前片と背片との間に差し込まれ、外壁材の下端部に端部カバー材が被嵌され、端部カバー材が、前耳の押さえ部と背片のリブとの間に外壁材の下端部を挟持し、外壁材は、下端面が内側排水ルーバーの上端に当接し、内側排水ルーバーによって支持されて端部カバー材の底片から浮いた状態に保持され、水抜き孔からの排水が可能とされていることを特徴としている。
【００１５】
第３の発明は、第１の発明の特徴を有する端部カバー材を外壁材の下端部に被嵌させて外壁材の端部を仕舞う外壁材の端部仕舞い構造であって、上下に隣接して配置される上側外壁材と下側外壁材とを連結する中間連結部において、壁下地に胴縁を介して取り付けられた中間水切り材に配設された前側に突出する段部上に底片が載せられ、段部に支持されて端部カバー材が胴縁に取り付けられ、上側外壁材の下端部が前片と背片との間に差し込まれ、上側外壁材の下端部に端部カバー材が被嵌され、端部カバー材が、前耳の押さえ部と背片のリブとの間に上側外壁材の下端部を挟持し、上側外壁材は、下端面が内側排水ルーバーの上端に当接し、内側排水ルーバーによって支持されて端部カバー材の底片から浮いた状態に保持され、水抜き孔からの排水が可能とされていることを特徴としている。
【発明の効果】
【００１７】
上記第１の発明によれば、端部カバー材において、底片と反対側に位置する前片の一端に接続され、背片側に向かって突出する前耳は、前片への接続端と自由端との間に、接続端および自由端より背片側に突出する押さえ部を有し、背片には、前耳に対向する位置に前片側に向かって突出するリブが配設され、前耳の押さえ部と背片のリブとの間に外壁材下端部を挟持可能としているので、外壁材下端部に嵌合する端部カバー材の嵌合強度は十分高く、外壁材を壁下地に取り付ける際に、外壁材が前傾するのが抑制され、外壁材を鉛直方向に揃えて施工するのが容易となる。底片に水抜き孔が形成され、排水性能に支障をきたさないように外壁材を底片から浮いた状態に保持する場合にも、端部カバー材の嵌合強度は十分高く保たれ、前片の幅を外観に影響しない程度に拡大すれば、端部カバー材の嵌合強度はより十分高くなり、外壁材の施工がより容易となる。
【００１８】
また、背片のリブは、端部カバー材の内部に浸入する雨水などの水返しとしても機能し、雨水などを底片に向けて落下させることができ、壁下地側への浸入を抑制することができる。
【００１９】
さらに、前耳は、自由端ではなく押さえ部において外壁材の表面に当接するので、押さえ部が外壁材表面部に食い込むことはなく、塗膜などの外壁材表面が傷つかず、外壁材の品質および性能を安定に保持することができる。
【００２０】
そして、上記第１の発明によれば、底片に一定間隔で形成された水抜き孔の孔縁に配設された、端部カバー材の内側に突出する内側排水ルーバーによって外壁材を下端面において支持することができ、外壁材を底片から浮いた状態に保持し、水抜き孔が塞がれることがなく、端部カバー材の内部に浸入する雨水などを水抜き孔から排水することができ、排水性が良好となる。内側排水ルーバーは、先端開口が前片に対向配置されているため、雨水などの浸入経路の上流側に位置し、排水性に優れる。
【００２１】
水抜き孔の孔縁に配設された、端部カバー材の外側に突出する外側排水ルーバーは、先端開口が背片側に向かって開口しているため、風雨が巻き込んでも雨水などが水抜き孔に浸入するのを十分抑制することができ、しかも、外側排水ルーバーは、端部カバー材の外側に突出していることから水切り機能をも有し、端部カバー材の防水性が高まる。また、外側排水ルーバーによって水抜き孔が隠蔽され、視認されず、背片側に開口する先端開口も視認されないので、施工外観が良好となる。加えて、害虫や小動物などの侵入を抑制することができる。
【００２２】
上記第２の発明によれば、土台部における端部カバー材の嵌合強度は十分高く、端部カバー材は外壁材施工のスターターとして十分機能し、外壁材の施工を容易とする。
【００２３】
また、土台部において排水性および防水性も高く、外観に優れ、害虫や小動物の侵入が抑制された外壁材の端部仕舞い構造が実現される。
【００２４】
上記第３の発明によれば、上下に隣接して配置される外壁材同士を連結する中間連結部における端部カバー材の嵌合強度は十分高く、また、端部カバー材は、中間水切り材の段部上に底片を載せて段部に支持されるので、所定位置に位置決めされ、端部カバー材の施工が容易となる。
【００２５】
また、上記中間連結部において排水性および防水性も高く、外観に優れた外壁材の端部仕舞い構造が実現される。
【発明を実施するための最良の形態】
【００２６】
図１、図２は、それぞれ、本発明の端部カバー材の一実施形態を示した要部斜視図、正面側の要部断面図である。
【００２７】
図１および図２に示した端部カバー材１は、壁下地に横張り施工される横長の外壁材の下端部に被嵌される横長の端部カバー材である。端部カバー材１は、壁下地などに配設される胴縁に釘、ビスなどの固定具により固定される起立した背片２と、背片２の下端から前側に向かって略直角に延設された底片３と、底片３の前端から略直角上方に延設され、背片２に対向配置された前片４とから形成され、断面略Ｕ字形状を有している。
【００２８】
端部カバー材１では、前片４は、底片３と反対側に位置する上端に接続された背片２側に向かって突出する前耳５を有している。前耳５は、前片４の長手方向にわたって延びている。また、前耳５は、前片４への接続端５ａと自由端５ｂとを有し、接続端５ａと自由端５ｂとの間に、接続端５ａおよび自由端５ｂより背片２側に突出する押さえ部６を有してもいる。
【００２９】
また、端部カバー材１では、背片２において前耳５に対向する位置に前片４側に向かって突出するリブ７が設けられ、リブ７は背片２の長手方向にわたって延びている。
【００３０】
さらに、端部カバー材１では、底片３に水抜き孔８が一定間隔で形成されている。水抜き孔８は底片３の長手方向に長い長孔形状を有している。水抜き孔８の孔縁８ａには排水ルーバー９が配設されている。排水ルーバー９は、先端に開口１０を有し、開口１０と水抜き孔８との間に両者を連通させる排水間隙１１が形成され、水抜き孔８を覆っている。排水ルーバー９には、端部カバー材１の内側に突出する内側排水ルーバー９１と、端部カバー材１の外側に突出する外側排水ルーバー９２との２種類があり、端部カバー材１では、内側排水ルーバー９１と外側排水ルーバー９２とが交互に並べて配設されている。内側排水ルーバー９１の開口１０は前片４に対向配置され、外側排水ルーバー９２の開口１０は背片２側に向かって開口している。
【００３１】
このような端部カバー材１は、一枚の金属薄板１２から形成されている。リブ７を前側に折り曲げて形成した背片２の下端において金属薄板１２は前側に略直角に折り曲げられ、底片３を形成している。背片２の上端部において金属薄板１２前側に折り返され、折り重ねられている。この金属薄板１２の折り重ねにより背片２の上端部における剛性を高め、長尺材である端部カバー材１を使用に十分耐えるものとしている。金属薄板１２は、底片３の前端において上側に向かって略直角に折り曲げられ、前片４を形成している。さらに、金属薄板１２は、前片４の上端部において背片２側に向かって斜め下方に折り曲げられ、前耳５を形成し、前耳５の接続端５ａと自由端５ｂとの間で金属薄板１２を前片４側に向かって斜めに折り曲げられ、押さえ部６を形成している。
【００３２】
金属薄板１２には、底片３において前片４側の端縁に沿って水抜き孔８の長さに相当する切り込み１３が入れられ、折り上げられて水抜き孔８とともに水抜き孔８の孔縁８ａに内側排水ルーバー９１を形成し、内側排水ルーバー９１に、先端に開口１０を有する排水間隙１１を形成している。また、金属薄板１２には、底片３において背片２側の端縁に沿って水抜き孔８の長さに相当する切り込み１４が入れられ、折り下げられて水抜き孔８とともに水抜き孔８の孔縁８ａに外側排水ルーバー９２を形成し、外側排水ルーバー９２に、先端に開口１０を有する排水間隙１１を形成している。
【００３３】
このように、端部カバー材１は、単純化された構造を有し、一枚の金属薄板１２から板金加工により製造することができ、製造が容易である。金属薄板１２としては、板金加工の容易な厚みを有する鋼板、アルミニウム板などが例示される。たとえば、外壁材が、金属製の表面材および裏面材の間に芯材が挟み込まれて形成される金属系外壁材の場合、端部カバー材１の材質を金属系外壁材の表面材の材質に合せることができ、一体感の高い外観が得られる。もちろん、外壁材には、セメント板などの無機質系外壁材を使用することができるので、端部カバー材１は、金属薄板１２以外からも製造することができ、樹脂成形品などとすることができる。樹脂成形品の場合には、背片２の上端部の肉厚を厚くするなどして剛性を確保することができる。
【００３４】
図３は、図１および図２に示した端部カバー材を外壁材の下端部に被嵌させた状態を示した要部側面図である。
【００３５】
図３に示したように、端部カバー材１は、外壁材１５の施工に際し、外壁材１５の下端部１５ａに被嵌され、下端部１５ａを露出させず、外観良く仕舞う。外壁材１５の下端部１５ａは端部カバー材１の背片２と前片４との間に差し込まれる。このとき、端部カバー材１は、外壁材１５の下端部１５ａを前耳５の押さえ部６と背片２のリブ７とにより挟み付け、押さえ部６とリブ７との間に挟持する。したがって、外壁材１５の下端部１５ａに嵌合する端部カバー材１の嵌合強度は、前耳５に対向して背片２に配設されたリブ７の存在によって十分高くなり、外壁材１５を壁下地に取り付ける際に、外壁材１５が前傾するのが抑制され、外壁材１５を鉛直方向に揃えて施工するのが容易となる。
【００３６】
端部カバー材１を外壁材１５の下端部１５ａに被嵌させると、外壁材１５の下端面は内側排水ルーバー９１の上端に当接し、支持され、外壁材１５は底片３から浮いた状態で保持されるが、外壁材１５の下端部１５ａは前耳５の押さえ部６と背片２のリブ７との間に挟持されるので、端部カバー材１の嵌合強度は十分高く保たれる。
【００３７】
なお、前片４の縦幅ｗ１を外観に影響しない程度に拡大すれば、のみ込み代を大きくすることができ、端部カバー材１の嵌合強度はより十分高くなり、前片４の前屈なども抑制することができるため、外壁材１５の施工がより容易となる。前片４の縦幅ｗ１は、たとえば背片２の縦幅ｗ２が４０ｍｍのとき、１/２程度の２０ｍｍまで拡大することができる。
【００３８】
また、前耳５は、自由端５ｂではなく押さえ部６において外壁材１５の表面に当接するので、押さえ部６が外壁材１５の表面部に食い込むことはなく、塗膜などの外壁材１５の表面が傷つかず、外壁材１５の品質および性能を安定に保持することができる。
【００３９】
さらに、上記の通り、外壁材１５は、内側排水ルーバー９１によって底片３から浮いた状態で保持されるため、図１に示した底片３に形成された水抜き孔８が塞がれることがなく、端部カバー材１の内部に浸入する雨水などを水抜き孔８から図３に示したように排水することができ、排水性が良好となる。内側排水ルーバー９１は、先端の開口１０が前片４に対向配置されているため、雨水などの浸入経路の上流側に位置し、排水間隙１１を通じて雨水などを水抜き孔８に流しやすくなっており、排水性に優れる。
【００４０】
外側排水ルーバー９２は、先端の開口１０が背片２側に向かって開口しているため、風雨が巻き込んでも雨水などが水抜き孔８に浸入するのを十分抑制することができる。しかも、外側排水ルーバー９２は、底片３から端部カバー材１の外側に突出していることから、雨水などを表面に伝わらせて落下させることができ、水切り機能をも有し、端部カバー材１の防水性が高まる。また、外側排水ルーバー９２によって水抜き孔８が隠蔽され、視認されず、背片２側に開口する先端の開口１０も視認されないので、施工外観が良好となる。加えて、害虫や小動物などの侵入を抑制することができる。土台部にスターターとして施工される場合に特に有効となる。
【００４１】
また、排水性に関し、端部カバー材１では背片２のリブ７が水返しとして機能する。リブ７は、図３に示したように、端部カバー材１の内部に浸入する雨水などを底片３に向けて落下させることができ、壁下地側への浸入を抑制することができる。
【００４２】
図４は、図１および図２に示した端部カバー材を外壁材下端部に被嵌させる本発明の外壁材の端部仕舞い構造の一実施形態を示した要部断面図である。
【００４３】
図４に示した外壁材の端部仕舞い構造は土台部に適用したものである。
【００４４】
基礎１６上に配設された土台１７の前面に基礎水切り材１８が配設されている。基礎水切り材１８は、左右方向の長さを有する長尺の部材であり、土台１７の前面に当接して釘、ビスなどの固定具１９により固定される起立した固定片２０と、固定片２０の下端から前方斜め下側に向かって延設された傾斜片２１と、傾斜片２１の前端から垂下延設された垂下片２２を有している。垂下片２２の下端部は後方斜め上側に向かっている。基礎水切り材１８は、基礎１６の上端部外側を傾斜片２１および垂下片２２によって覆い、傾斜片２１で受けた雨水などを垂下片２２側に排水し、垂下片２２で水切りし、雨水などが土台１７側に浸入するのを阻止している。
【００４５】
防水テープ２３や透湿防水シート２４などを介して胴縁２５が土台１７に釘２６によって固定され、胴縁２５が基礎水切り材１８の固定片２０に配設されている。
【００４６】
図１および図２に示した端部カバー材１が、胴縁２５の下端部前面に背片２を当接させ、釘２６によって胴縁２５を通じて土台１７に固定されている。そして、外壁材１５の下端部１５ａが、背片２と前片４との間に差し込まれ、端部カバー材１が、図３に示した状態と同様な状態で外壁材１５の下端部１５ａに被嵌されている。端部カバー材１は、前耳５の押さえ部６と背片２のリブ７との間に外壁材１５の下端部１５ａを挟持している。また、外壁材１５は、下端面が内側排水ルーバー９１の上端に当接し、内側排水ルーバー９１によって支持され、底片３から浮いた状態に保持されている。
【００４７】
したがって、図１および図２に示した端部カバー材１が奏する上記効果が、土台部における外壁材１５の端部仕舞い構造にも実現される。
【００４８】
端部カバー材１は、外壁材１５の下端部１５ａを露出させず、外観良く仕舞い、外壁材１５の下端部１５ａに嵌合する端部カバー材１の嵌合強度は、前耳５に対向して背片２に配設されたリブ７の存在によって十分高く、外壁材１５を壁下地に取り付ける際に、外壁材１５が前傾するのが抑制され、外壁材１５を鉛直方向に揃えて施工するのが容易となる。外壁材１５は底片３から浮いた状態に保持されても、外壁材１５の下端部１５ａが前耳５の押さえ部６と背片２のリブ７との間に挟持されるので、端部カバー材１の嵌合強度は十分高く保たれる。端部カバー材１は外壁材１５の施工のスターターとして十分機能し、外壁材１５の施工を容易とする。
【００４９】
また、前耳５は、自由端５ｂではなく押さえ部６において外壁材１５の表面に当接するので、押さえ部６が外壁材１５の表面部に食い込むことはなく、塗膜などの外壁材１５の表面が傷つかず、外壁材１５の品質および性能を安定に保持することができる。
【００５０】
さらに、外壁材１５は、内側排水ルーバー９１によって底片３から浮いた状態で保持されるため、図１に示した底片３に形成された水抜き孔８が塞がれることがなく、端部カバー材１の内部に浸入する雨水などを水抜き孔８から図３に示したように排水することができ、排水性が良好となる。内側排水ルーバー９１は、先端の開口１０が前片４に対向配置されているため、雨水などの浸入経路の上流側に位置し、排水間隙１１を通じて雨水などを水抜き孔８に流しやすくなっており、排水性に優れる。
【００５１】
リブ７は、また、端部カバー材１の内部に浸入する雨水などを底片３に向けて落下させることができ、壁下地側への浸入を抑制することができる。
【００５２】
外側排水ルーバー９２は、先端の開口１０が背片２側に向かって開口しているため、風雨が巻き込んでも雨水などが水抜き孔８に浸入するのを十分抑制することができる。しかも、外側排水ルーバー９２は、底片３から端部カバー材１の外側に突出していることから水切りが可能で、水切り機能をも有し、端部カバー材１の防水性が高まる。また、外側排水ルーバー９２によって水抜き孔８が隠蔽され、視認されず、背片２側に開口する先端の開口１０も視認されないので、施工外観が良好となる。加えて、害虫や小動物などの侵入を抑制することができる。
【００５３】
なお、図４に示した外壁材の端部仕舞い構造では、端部カバー材１の内部への雨水などの浸入をより抑制し、防水性を高めるために、前片４の上端に沿って外壁材１５の表面との間にシーリング材２７を配設している。
【００５４】
図５は、図１および図２に示した端部カバー材を外壁材下端部に被嵌させる本発明の外壁材の端部仕舞い構造の別の実施形態を示した要部断面図である。
【００５５】
図５に示した外壁材の端部仕舞い構造は、上下に隣接して配置される上側外壁材１５１と下側外壁材１５２とを連結する中間連結部に適用したものである。
【００５６】
壁下地２８には透湿防水シート２４を介して胴縁２５が配設され、中間水切り材２９が胴縁２５を介して釘２６によって壁下地２８に固定されている。中間水切り材２９は、図４に示した基礎水切り材１８と同様に、起立した固定片３０と、固定片３０の下端から前方斜め下側に向かって延設された傾斜片３１と、傾斜片３１の前端から垂下延設された垂下片３２を有している。垂下片３２の下端部は後方斜め上側に向かっている。中間水切り材２９は、下側外壁材１５２の上端部外側を傾斜片３１および垂下片３２によって覆い、下側外壁材１５２の上端部１５２ａを仕舞っている。中間水切り材２９は、また、傾斜片３１で受けた雨水などを垂下片３２側に排水し、垂下片３２で水切りし、雨水などが壁下地２８側に浸入するのを阻止している。一方、中間水切り材２９には、固定片３０の下端部に前側に突出する段部３３が配設されている。
【００５７】
図１および図２に示した端部カバー材１が、背片２を中間水切り材２９の固定片３０に当接させるとともに、底片３を中間水切り材２９の段部３３上に載せ、段部３３に支持されて釘２６によって胴縁２５を通じて壁下地２８に固定されている。そして、上側外壁材１５１の下端部１５１ａが、背片２と前片４との間に差し込まれ、端部カバー材１が、図３に示した状態と同様な状態で上側外壁材１５１の下端部１５１ａに被嵌されている。端部カバー材１は、前耳５の押さえ部６と背片２のリブ７との間に上側外壁材１５１の下端部１５１ａを挟持している。また、上側外壁材１５１は、下端面が内側排水ルーバー９１の上端に当接し、内側排水ルーバー９１によって支持され、底片３から浮いた状態に保持されている。
【００５８】
したがって、図１および図２に示した端部カバー材１が奏する上記効果が、中間連結部における上側外壁材１５１の端部仕舞い構造にも実現される。
【００５９】
端部カバー材１は、上側外壁材１５１の下端部１５１ａを露出させず、外観良く仕舞い、上側外壁材１５１の下端部１５１ａに嵌合する端部カバー材１の嵌合強度は、前耳５に対向して背片２に配設されたリブ７の存在によって十分高く、上側外壁材１５１を壁下地２８に取り付ける際に、上側外壁材１５１が前傾するのが抑制され、外壁材１５を鉛直方向に揃えて施工するのが容易となる。上側外壁材１５１は底片３から浮いた状態に保持されても、上側外装材１５１の下端部１５１ａが前耳５の押さえ部６と背片２のリブ７との間に挟持されるので、端部カバー材１の嵌合強度は十分高く保たれる。
【００６０】
また、前耳５は、自由端５ｂではなく押さえ部６において上側外壁材１５１の表面に当接するので、押さえ部６が上側外壁材１５１の表面部に食い込むことはなく、塗膜などの外壁材１５の表面が傷つかず、外壁材１５の品質および性能を安定に保持することができる。
【００６１】
さらに、上側外壁材１５１は、内側排水ルーバー９１によって底片３から浮いた状態で保持されるため、図１に示した底片３に形成された水抜き孔８が塞がれることがなく、端部カバー材１の内部に浸入する雨水などを水抜き孔８から図３に示したように排水することができ、排水性が良好となる。内側排水ルーバー９１は、先端の開口１０が前片４に対向配置されているため、雨水などの浸入経路の上流側に位置し、排水間隙１１を通じて雨水などを水抜き孔８に流しやすくなっており、排水性に優れる。
【００６２】
リブ７は、また、端部カバー材１の内部に浸入する雨水などを底片３に向けて落下させることができ、壁下地２８側への浸入を抑制することができる。
【００６３】
外側排水ルーバー９２は、先端の開口１０が背片２側に向かって開口しているため、風雨が巻き込んでも雨水などが水抜き孔８に浸入するのを十分抑制することができる。しかも、外側排水ルーバー９２は、底片３から端部カバー材１の外側に突出していることから水切りが可能で、水切り機能をも有し、端部カバー材１の防水性が高まる。また、外側排水ルーバー９２によって水抜き孔８が隠蔽され、視認されず、背片２側に開口する先端の開口１０も視認されないので、施工外観が良好となる。加えて、端部カバー材１は、中間水切り材２９の段部３３上に底片３を載せて段部３３に支持されるので、所定位置に位置決めされ、端部カバー材１の施工が容易となる。
【００６４】
なお、図４に示した外壁材の端部仕舞い構造では、端部カバー材１の内部への雨水などの浸入をより抑制し、防水性を高めるために、前片４の上端に沿って上側外壁材１５１の表面との間にシーリング材２７を配設している。また、シーリング材２７は、中間水切り材２９の垂下片３２の下端に沿って下側外壁材１５２の表面との間にも配設され、中間水切り材２９の裏側への雨水などの浸入を抑制し、防水性を高めている。
【図面の簡単な説明】
【００６５】
【図１】本発明の端部カバー材の一実施形態を示した要部斜視図、正面側の要部断面図である。
【図２】図１に示した端部カバー材の正面側の一部切欠断面図である。
【図３】図１および図２に示した端部カバー材を外壁材の下端部に被嵌させた状態を示した要部側面図である。
【図４】図１および図２に示した端部カバー材を外壁材下端部に被嵌させる本発明の外壁材の端部仕舞い構造の一実施形態を示した要部断面図である。
【図５】図１および図２に示した端部カバー材を外壁材下端部に被嵌させる本発明の外壁材の端部仕舞い構造の別の実施形態を示した要部断面図である。
【符号の説明】
【００６６】
１  端部カバー材
２  背片
３  底片
４  前片
５  前耳
５ａ  接続端
５ｂ  自由端
６  押さえ部
７  リブ
８  水抜き孔
８ａ  孔縁
９  排水ルーバー
９１  内側排水ルーバー
９２  外側排水ルーバー
１０  開口
１１  排水間隙
１５  外壁材
１５ａ  下端部
１５１  上側外壁材
１５１ａ  下端部
１５２  下側外壁材
１７  土台
１８  基礎水切り材
２０  固定片
２５  胴縁
２８  壁下地
２９  中間水切り材
３３  段部
【図１】
0004788672.tif 000002
【図２】
0004788672.tif 000003
【図３】
0004788672.tif 000004
【図４】
0004788672.tif 000005
【図５】
0004788672.tif 000006